(57)【特許請求の範囲】
【請求項１】
セメント材に少なくとも膨張性混和材を混合したセメント系材料に重量比１．５％〜２．５％のＦｅ粉末を添加して水和した充填材が金属パイプ内に充填されてなる、電磁波加熱用の電極棒。
【請求項２】
請求項１において、
前記充填材は、前記セメント系材料としてグラウト材を含み、これに重量比１．５％〜２．５％のＦｅ粉末が添加され、水の水和反応により、少なくとも該Ｆｅを含む、３ＣａＯ・Ａｌ２Ｏ３・３ＣａＳＯ４・３２Ｈ２Ｏからなるエトリンガイドが生成されたものである、電磁波加熱用の電極棒。
【請求項３】
請求項１または２において、
少なくともそれぞれ１つ以上のプラス極とマイナス極をもつ複数の電極棒からなり、前記プラス極とマイナス極の電極棒が軸方向と直交する方向に離間されて相対向した状態で、各電極棒に商用交流電源から電力が供給されることにより該電極棒内部にそれぞれ電磁波が生成されて、各電極棒間の水またはその他の誘電体を加熱することができる、電磁波加熱用の電極棒。
【請求項４】
請求項３に記載の電極棒が複数設けられてなり、各電極棒に前記商用交流電源から電力が供給される電極棒集合体と、
前記電極棒集合体を収納し、給水口と流出口を有して、給水口からの水が各電極棒周囲を通って流れて流出口から流出するケースと、
前記ケース内における少なくとも水の温度および流量を検出する検出部と、
検出信号に基づいて、前記水の温度および流量を制御する制御部とを備え、
前記プラス極とマイナス極の電極棒間を流れる水を電磁波加熱によってケース内の流水を加熱する電磁温水器。
【請求項５】
請求項４において、
前記電極棒集合体は、各電極棒の軸方向両端側に相対向して配置された一対の電極棒接触板と、各電極棒を保持する電極棒保持部とを有し、
前記一対の電極棒接触板は、一方の電極棒接触板に複数のプラス極の電極棒の一端が電気的に接触するとともに、他方の電極棒接触板に複数のマイナス極の電極棒の一端が電気的に接触しており、
前記電極棒保持部は、前記電極棒の軸方向と直交する方向に離間して交互に配置された複数のプラス極とマイナス極の電極棒を、電気的に絶縁しながら保持する、電磁温水器。
【請求項６】
請求項５において、
前記ケース内に前記電極棒集合体が複数層設けられてなる、電磁温水器。
【請求項７】
請求項５または６において、前記電極棒集合体が、これを支持する枠体に固定されており、前記枠体に前記電極棒集合体を吊り下げ可能な吊り具が固定されている、電磁温水器。
【請求項８】
請求項４から７のいずれか１項に記載の電磁温水器が複数台連結され、
各電磁温水器に連続的に水を流して順次加熱することにより、連続した給湯が可能な電磁温水器システム。
【発明の詳細な説明】
【技術分野】
【０００１】
本発明は、電磁波加熱用の電極および電磁波発生器として使用する電極棒、およびこれを用いた電磁温水器に関する。
【背景技術】
【０００２】
一般に、給湯装置としては、電気ヒータで貯湯タンク内の水を加熱し給湯する電気温水器（例えば、特許文献１）が知られている。この電気温水器では、貯湯タンク内に設けた電極で水位を検出して、水位が低くなると給水する。また、重油を燃焼させて加熱された温水を貯湯タンクに貯え、必要量の温水を温水ポンプで供給するボイラなども知られている。
【０００３】
ところで、食品や樹脂などを加熱するものとして、誘電加熱やマイクロ波加熱などの電磁波加熱が知られている。誘電加熱では、板状電極に高周波電圧を加えて電極間の加熱対象を高周波電界によって加熱する（例えば、特許文献２）。また、マイクロ波加熱では、商用交流電源などを使用してマグネトロンによりマイクロ波を発生させ、加熱対象をマイクロ波によって加熱する。
【特許文献１】特開平５−００１８５４号公報
【特許文献２】特開２００５−０８５６６０号公報
【発明の開示】
【発明が解決しようとする課題】
【０００４】
しかし、従来の電気温水器やボイラは、貯湯タンク内の水を加熱するものであって、連続する流水を加熱するものではないので、連続的な給湯には限界があり、連続給湯しようとすると、小型化および低コスト化が困難となる。
【０００５】
一方、従来の電磁波加熱の誘電加熱では、板状電極に高周波電圧を加えるための高周波発振器が必要となり、また、マイクロ波加熱では、高周波を発生させるマグネトロンが必要となり、ともに複雑な構造で、高コストとなり、連続する流水を簡単な構造かつ低コストで加熱することができない。
【０００６】
本発明は、前記の問題点を解決して、高周波発振器やマグネトロンを不要にして小型かつ簡単な構造で低コストの電磁波加熱用の電極棒、およびこの電極棒を用いて、小型で簡単な構造かつ低コストで、連続する流水を加熱できる電磁温水器を提供することを目的とする。
【課題を解決するための手段】
【０００７】
前記目的を達成するために、本発明にかかる電磁波加熱用の電極棒は、セメント材に少なくとも膨張性混和材を混合したセメント系材料に重量比１．５％〜２．５％のＦｅ粉末を添加して水和した充填材が金属パイプ内に充填されてなる。
【０００８】
この構成によれば、前記充填材が充填された電極棒に商用交流電源から電力を供給することにより、この電極棒のみでその内部の充填材により電磁波を生成するので、電極棒自体が電磁波加熱の電極および電磁波発生器となるから、高周波発振器やマグネトロンを不要にして簡単な構造で低コストの電磁波加熱用の電極棒を得ることができる。
【０００９】
好ましくは、前記充填材は、前記セメント系材料としてグラウト材を含み、これに重量比１．５％〜２．５％のＦｅ粉末が添加されて、水の水和反応により、該Ｆｅを含む、３ＣａＯ・Ａｌ２Ｏ３・３ＣａＳＯ４・３２Ｈ２Ｏからなるエトリンガイドが生成されたものである。したがって、電極棒内部でＦｅを含むエトリンガイドの生成により安定した分子構造を得て、より安定した電磁波加熱用の電極棒を得ることができる。
【００１０】
好ましくは、少なくともそれぞれ一つ以上のプラス極とマイナス極をもつ複数の電極棒であって、前記プラス極とマイナス極の電極棒が軸方向と直交する方向に離間されて相対向した状態で、各電極棒に商用交流電源から電力が供給されることにより該電極棒内部にそれぞれ電磁波が生成されて、各電極棒間の水またはその他の誘電体を加熱することができる。したがって、前記充填材が充填されたプラス極とマイナス極の電極棒に商用交流電源から給電することにより、各電極棒内部に電磁波を生成して、各電極棒間の水またはその他の誘電体を加熱するので、各電極棒自体が電磁波加熱の電極および電磁波発生器となるから、高周波発振器やマグネトロンを不要にして簡単な構造で低コストの電磁波加熱用の電極棒を得ることができる。
【００１１】
本発明の他の構成にかかる電磁温水器は、前記した電極棒が複数設けられてなり、各電極棒に商用交流電源から電力が供給される電極棒集合体と、前記電極棒集合体を収納し、給水口と流出口を有して、給水口からの水が各電極棒周囲を通って流れて流出口から流出するケースと、前記ケース内における少なくとも水の温度および流量を検出する検出部と、検出信号に基づいて、前記水の温度および流量を制御する制御部とを備え、前記各電極棒による電磁波加熱によってケース内の連続する流水を加熱するものである。
【００１２】
この構成によれば、前記充填材が充填されたプラス極とマイナス極の電極棒を複数有する電極棒集合体に商用交流電源から給電することにより、各電極棒内部に電磁波を生成して、各電極棒周囲を流れる水を加熱するので、簡単な構造かつ低コストでケース内の連続する流水を加熱することができる。
【００１３】
好ましくは、前記電極棒集合体は、各電極棒の軸方向両端側に相対向して配置された一対の電極棒接触板と、各電極棒を保持する電極棒保持部とを有し、前記一対の電極棒接触板は、一方の電極棒接触板に複数のプラス極の電極棒の一端が電気的に接触するとともに、他方の電極棒接触板に複数のマイナス極の電極棒の一端が電気的に接触してなり、前記電極棒保持部は、前記電極棒の軸方向と直交する方向に離間して交互に配置された複数のプラス極とマイナス極の電極棒を、電気的に絶縁しながら保持する。したがって、複数のプラス極の電極棒を一方の電極棒接触板に接触させ、複数のマイナス極の電極棒を他方の電極棒接触板に接触させて、プラス極とマイナス極の電極棒を互い違いに配置して保持されているので、一対の電極棒接触板間で多数の電極棒を効率的に配置することができ、装置を小型化できる。
【００１４】
好ましくは、前記ケース内に前記電極棒集合体が複数層設けられてなる。したがって、各層の電極棒集合体で流水を順次加熱することができる。また、好ましくは、前記電極棒集合体が、これを支持する枠体に固定されており、前記枠体に前記電極棒集合体を吊り下げ可能な吊り具が固定されている。したがって、電極棒集合体を吊り上げて、電極棒全体をケースから取り外すことができるので、清掃等のメインテナンスが容易となる。
【００１５】
本発明のその他の構成にかかる電磁温水器システムは、前記電磁温水器が複数台連結され、各電磁温水器に連続的に水を流して順次加熱することにより、連続した給湯が可能となるものである。
【００１６】
この構成によれば、各電磁温水器で連続的に水を流して順次加熱するので、連続する流水を加熱してより確実に温水にすることができるから、簡単な構造かつ低コストで連続給湯が可能となる。
【発明を実施するための最良の形態】
【００１７】
以下、本発明の実施形態を図面にしたがって説明する。図１は、本発明の第１実施形態に係る電磁波加熱用の電極棒を示す。この電極棒１は、セメント材に少なくとも膨張性混和材を混合したセメント系材料に重量比約１．５％〜２．５％のＦｅ粉末を添加して水和した充填材２を例えばステンレスなどの耐食性の有底の金属パイプ３内に充填させてなる。
【００１８】
前記電極棒１は、使用時において、少なくともそれぞれ１つ以上のプラス極の電極棒１ａとマイナス極の電極棒１ｂの２種類を有する複数の電極棒からなる。図１（Ａ）のプラス極の電極棒１ａには、充填材２が充填された後に封止された先端に電極棒の外径よりも大きい径をもつステンレス製の接触用キャップ２１が被せられており、プラスの電極棒１ａが後述する電極棒接触板７の保持孔２５（図３（Ｂ））に挿入されたときに接触する電接部１ａａおよび電極棒１ａの抜け止めとなる。後端には必要に応じてプラスチック製のような絶縁キャップ２２が被せられる。図１（Ｂ）のマイナス極の電極棒１ｂは、充填材２が充填された後に封止された先端にステンレス製の接触用突起部２３が取り付けられており、この接触用突起部２３の先端の電接部１ｂｂで電極棒接触板７に接触する。他端には必要に応じてプラスチック製のような絶縁キャップ２４が被せられる。
【００１９】
前記充填材２は、セメント系材料として例えばグラウト材を用い、これに重量比約１．５％〜２．５％の砂鉄のようなＦｅ粉末を添加して、水の水和反応により、少なくとも該Ｆｅを含む、３ＣａＯ・Ａｌ２Ｏ３・３ＣａＳＯ４・３２Ｈ２Ｏからなるエトリンガイドを生成したものである。前記グラウト材は、セメント材、膨張性混和材（硬化収縮緩和材）、流動化材を含む減水材、瀝青乳剤、細骨材などからなり、少なくともＣａ、Ａｌ、ＳＯ、Ｍｇ、Ｆｅの成分を含むセメント系材料である。生成されたエトリンガイドは、セメントの硬化乾燥による収縮などを生じない、安定した状態を保持することができる。なお、この例では、セメント系材料としてグラウト材を用いているが、これに限定されるものではなく、ポルトランドセメントその他のセメント材に所定の膨張性混和材などを混合させて、エトリンガイドに相当するような安定した状態を保持できるものであれば使用できる。
【００２０】
前記グラウト材に重量比約１．５％〜２．５％の範囲内のＦｅ粉末を添加することにより、内部にＣａ、Ａｌ、ＳＯ、Ｍｇ、Ｆｅの成分とともに、３ＣａＯ・Ａｌ２Ｏ３・３ＣａＳＯ４・３２Ｈ２Ｏからなるエトリンガイドが生成される。このことにより、商用交流電源から電力が供給された電極棒内に、特にＦｅを若干多くした、Ｃａ、Ａｌ、ＳＯ、Ｍｇを含む、３ＣａＯ・Ａｌ２Ｏ３・３ＣａＳＯ４・３２Ｈ２Ｏ（エトリンガイド）に基づき、電気伝導率の違う分子構造体により色々な角度から電流が流れて、電場のみならず磁場が生成され、この電場と磁場の交互誘導による適正範囲内の電磁波の波動が生まれる、と推測される。
【００２１】
前記構成のプラス極の電極棒１ａとマイナス極の電極棒１ｂのそれぞれ少なくとも１つ以上を、軸方向と直交する方向に離間させて相対向させた状態で、各電極棒１ａ、１ｂに商用交流電源から電力を供給することにより該電極棒内部にそれぞれ電磁波を生成させて、各電極棒１ａ、１ｂ間の水またはその他の液体などの誘電体を加熱することができる。
【００２２】
これにより、商用交流電源から給電された各電極棒１ａ、１ｂの内部で電磁波加熱の可能な適正な電磁波が得られるので、電極棒自体が電磁波加熱の電極および電磁波発生器となるから、従来の電気温水器の電気ヒータと比べて格段に優れた加熱速度と加熱力が得られ、また高周波発振器やマグネトロンを不要にして小型かつ簡単な構造で低コストの電磁波加熱用の電極棒が得られる。また、安定したエトリンガイドを生成した充填材２を用いることにより、安定した電磁波加熱が得られる。
【００２３】
充填材２で、セメント系材料に対するＦｅ粉末の添加量は重量比で約１．５％〜２．５％の範囲内であることが好ましく、１．７％〜２．３％の範囲内であることがより好ましく、１．９％〜２．１％の範囲内であることが特に好ましい。１％以内では所望の電磁波を生成することができず、３％以上では、過剰なＦｅがエトリンガイドの成分を侵食して、ともに本発明の電極棒１として使用することができない。
【００２４】
図２は、本発明の第２実施形態に係る前記電極棒１を複数用いた電磁温水器を示す。この電磁温水器１０は、プラス極とマイナス極の電極棒１ａ、１ｂが複数設けられてなり、各電極棒１ａ、１ｂに商用交流電源から電力が供給される電極棒集合体５と、電極棒集合体５を収納し、給水口１１と流出口１２を有して、給水口１１からの水が各電極棒１ａ、１ｂの周囲を通って流れて流出口１２から温水となって流出するケース６と、ケース６の上部を覆う蓋１３と、蓋１３に取り付けられた配線カバー１４と、ケース６内のドレンや水を排出するドレン排水管１５とを備えている。また、ケース６は、熱拡散を防止するため、その外周面を例えばグラスウールのような断熱材で覆うようにしてもよい。この電磁温水器１０は、プラス極とマイナス極の電極棒１ａ、１ｂ間を流れる水を電磁波加熱によってケース６内の流水を加熱する。
【００２５】
また、電磁温水器１０は、ケース６内における水の温度や流量などを検出する検出器と、装置全体を制御するとともに、検出器からの検出信号に基づいて、前記水の温度および流量などを制御する制御部２０とを備えている。
【００２６】
前記検出器において、ケース６内の水の温度は、例えばケース６内の上部および下部に設けられた図示しない水温計のような温度センサで検出されて、検出信号（電気信号）が得られる。水の流量は、例えばケース６内の電極棒１ａ、１ｂでその間に流れる電流による水位の検出により流量が検出されて、検出信号（電気信号）が得られる。制御部２０は、図示しない電磁弁を開閉させて、検出された水の温度に基づいて、商用三相交流電源からの電力(例えば、供給電流)を調整して、水の温度を制御し、また、検出された水の流量に基づいて、図示しない配管内の絞り弁を調整して水の流量を制御する。なお、前記検出器は前記供給電流を検出することができる。
【００２７】
図３（Ａ）に示すように、前記電極棒集合体５は、例えば上下方向に延びる複数の電極棒１ａ、１ｂと、各電極棒１ａ、１ｂの軸方向両端（上下両端）に配置されて相対向する一対の電極棒接触板７、７と、各電極棒１ａ、１ｂを保持する電極棒保持部８とを有している。
【００２８】
電極棒集合体５は、ケース６内の上下方向に複数、例えば３層設けられており、各層の電極棒接触板７に商用三相交流電源が配線されている。図４の電気配線図に示すように、例えば、２００Ｖの商用三相交流電源のＵ、Ｖ、Ｗ相に、三相負荷のｕ、ｖ、ｗ相負荷が接続される。ｕ、ｖ、ｗ相負荷は、それぞれ各電極棒集合体５における複数のプラス極の電極棒１ａとマイナス極の電極棒１ｂからなる。この例ではＹ−Ｙ結線であるが、Ｙ―Δ、Δ―ＹまたはΔ−Δ結線などでもよい。
【００２９】
図３（Ｂ）は図３（Ａ）の一部拡大図である。前記一対の電極棒接触板７、７は、例えばステンレスなどの耐食性金属からなり、図３（Ｂ）のように、各電極棒１ａ、１ｂを挿入可能とする複数の保持孔２５が設けられており、一方の電極棒接触板７の複数の保持孔２５にそれぞれ複数のプラス極の電極棒１ａが挿入されて、その先端の接触用キャップ２１の底部周縁の電接部１ａａで電気的に接触するとともに、他方の電極棒接触板７に複数のマイナス極の電極棒１ｂにおける先端の接触用突起部２３の電接部１ｂｂで電気的に接触する。
【００３０】
図３（Ａ）のｃ−ｃ線切断断面図である図３（Ｃ）に示すように、電極棒接触板７は平面視で六角形の形状を有し、複数のプラス極の電極棒１ａは、一対の電極棒接触板７、７の一方の電極棒接触板７（図の上側）の保持孔２５にそれぞれ挿入されて、電接部１ａａで電極棒接触板７に接触する。ｅ−ｅ線切断断面図である図３（Ｅ）のように、複数のマイナス極の電極棒１ｂは、電接部１ｂｂで他方の電極棒接触板７（図の下側）にそれぞれ接触する。
【００３１】
前記電極棒保持部８は、例えば一対の電極棒接触板７、７間に設けられたアクリル板のような絶縁板からなり、この絶縁板に複数の電極棒１ａ、１ｂが挿入される複数の保持孔２６が設けられて、電極棒１ａ、１ｂの軸方向と直交する方向（径方向）に離間して交互に配置された各プラス極とマイナス極の電極棒がそれぞれ各保持孔２６と径方向に移動不能に係合して、電気的に絶縁しながら保持される。図３（Ｄ）は図３（Ａ）のｄ−ｄ線切断断面図であり、電極棒保持部８は電極棒接触板７と同様に平面視で六角形の形状を有し、各電極棒１ａ、１ｂは、それぞれ電極棒保持板８に保持される。
【００３２】
図３（Ａ）のように、例えばＵＶＷ相の配線バー３２〜３４が各電極棒接触板７に接触して、各電極棒に給電する。Ｕ相の配線バー３２は配線接触部３２ａでｕ相負荷の電極棒接触板７に（図３（Ｂ））、Ｖ相の配線バー３３は配線接触部３３ａでｖ相負荷の電極棒接触板７に、Ｗ相の配線バー３４は配線接触部３４ａでｗ相負荷の電極棒接触板７に（図３（Ｂ））、それぞれ接触して、プラス極の電極棒とマイナス極の電極棒１ａ、１ｂに給電する。
【００３３】
図５に示すように、各層の電極棒集合体５は、その外周の全体を取り囲む複数、例えば、周方向に等間隔に配置された６本のボルト状の支柱１８からなる枠体９に固定されて、一体構造に形成されてなり、枠体９に電極棒集合体５を吊り下げ可能な吊り具４１が固定されている。図３（Ｃ）、（Ｅ）のように、電極棒接触板７はその周縁部に設けられた６つの係合孔２７を前記各支柱１８に通して水平を保持した状態で、図３（Ｄ）のように、電極棒保持部８は、その周縁部に設けられた６つの係合孔２８を前記各支柱１８に通して水平を保持した状態で、例えば３ヶ所でそれぞれナット等により締め付け固定されて、枠体９に固定される。この例では、図５に示す吊り具４１の複数のアーム部４１ａが枠体９の各支柱１８に掛け渡されており、支柱１８の上部のボルト４２にアーム部４１ａ先端に設けられた係合孔を嵌め込んでナット４３等で締め付け固定される。
【００３４】
これにより、複数の電極棒１ａ、１ｂ全体がパッケージ化されるので、各電極棒１ａ、１ｂに付着したスケール除去などの清掃するときには、電極棒集合体５を吊り上げて、ケース６から取り外しできるので、電極棒１ａ、１ｂ全体を露出させることができ、スケール除去などの清掃がし易くなるから、清掃等のメインテナンスが容易となる。
【実施例】
【００３５】
電磁温水器１０は、図１のように、電磁波加熱用の電極棒１として、直径約３０ｍｍ、長さ約４００ｍｍの有底のステンレスパイプ３に、約４００ｇのグラウト材に砂鉄を約８ｇ（重量比約２％）を添加して水和した充填材２を充填したものを使用する。プラス極の電極棒１ａは、先端にステンレス製の接触用キャップ２１が後端に絶縁キャップ２２が取り付けられている。マイナス極の電極棒１ｂは、先端にステンレス製の接触用突起部２３が後端に絶縁キャップ２４が取り付けられている。図２のように、電磁温水器１０は、このプラス極とマイナス極の電極棒１ａ、１ｂを複数設けた電極棒集合体５を３層形成したものである。
【００３６】
図２の給水口１１から給水された水は、３層の電極棒集合体５における各層の電極棒１ａ、１ｂの周囲を流れながら、下から上へ上がって行く。この間、複数のプラス極とマイナス極の電極棒１ａ、１ｂ間の水が電磁波加熱により加熱される。ケース６内の水は、下層の電極棒集合体５から上層の電極棒集合体５へ流れるにしたがって、順次加熱され、流出口１２から温水が流出して流水を加熱する給湯器として使用できる。
【００３７】
こうして、充填材２が充填されたプラス極とマイナス極の電極棒１ａ、１ｂを複数有する各層の電極棒集合体５に商用交流電源が給電されることにより、各電極棒１ａ、１ｂの内部で電磁波加熱が可能な適正な電磁波を生成して、各電極棒周囲を流れる水を加熱する。これにより、従来の電気温水器の電気ヒータと比べて格段に優れた加熱速度と加熱力が得られ、また高周波発振器やマグネトロンを不要にして、小型で簡単な構造かつ低コストでケース６内の連続する流水を加熱することができる。
【００３８】
また、商用三相交流電源からの電力(例えば、供給電流)を調整することにより、温水の温度および水の流量を任意に制御することができる。また、電磁温水器１０を小型化できるので、ケース６からの熱拡散を軽減することもできる。
【００３９】
図６は、図２の電磁温水器１０が複数連結された状態で配置された、電磁温水器システムの平面図を示す。この例では、電磁温水器１０を例えば３台（１０Ａ、１０Ｂ、１０Ｃ）連結しているが、２台でも４台以上連結してもよい。制御盤Ｃの中に上記した制御部２０および電磁弁などが収納されている。図６において、まず、１番目の電磁温水器１０Ａの給水口１１ａから水が供給されて流出口１２ａで流出され、２番目の電磁温水器１０Ｂの給水口１１ｂへ水が供給されて流出口１２ｂで流出され、３番目の電磁温水器１０Ｃの給水口１１ｃへ水が供給されて流出口１２ｃから温水が流出される。
【００４０】
図７は、図６の側面図を示す。この電磁温水器システムは、上記構成の他に、配水管１６、止水弁１７およびジョイント１９を有している。電磁温水器１０Ａの給水口１１ａから給水された水は、各電磁温水器１０Ａ、１０Ｂ、１０Ｃで連続的に流れて順次加熱され、電磁温水器１０Ｃの流出口１２ｃから温水となって流出される。
【００４１】
こうして、この電磁温水器システムでは、各電磁温水器１０Ａ、１０Ｂ、１０Ｃで連続的に水を流して順次加熱するので、連続する流水を加熱してより確実に温水にすることができるから、簡単な構造かつ低コストで連続給湯が可能となる。
【００４２】
なお、第２および第３の実施形態では、電極棒集合体５を３層に構成して、商用三相交流電源を使用しているが、電極棒集合体５を３層の整数倍の６層や９層などに構成してもよい。また、電極棒集合体５を１層、２層または４層、５層などに構成してもよく、この場合、主として商用単相交流電源が使用される。
【００４３】
なお、上記各実施形態では、電極棒１ａ、１ｂを上下方向に配置し、電極棒集合体５を上下方向に形成しているが、電極棒１ａ、１ｂを水平方向に配置し、電極棒集合体５を水平方向に形成してもよい。
【００４４】
なお、本発明にかかる電磁温水器は、上記したように、１台または複数台で連続する流水を加熱する給湯器として使用することだけでなく、ボイラの前段装置として、ボイラに温水を供給することによりボイラの低い燃焼効率を軽減する用途にも使用できる。
【図面の簡単な説明】
【００４５】
【図１】（Ａ）、（Ｂ）は、本発明の第１実施形態に係る電磁波加熱用の電極棒を示す側面図である。
【図２】本発明の第２実施形態に係る図１の電極棒を複数用いた電磁温水器を示す側面図である。
【図３】（Ａ）〜（Ｅ）は、図２の電磁温水器を示す構成図である。
【図４】図２の電磁温水器の電気配線図である。
【図５】電極棒集合体をケースから取り外す状態を示す側面図である。
【図６】本発明の第３実施形態である電磁温水器システムを示す平面図である。
【図７】図６の電磁温水器システムを示す側面図である。
【符号の説明】
【００４６】
１：電磁波加熱用の電極棒
１ａ：プラス極の電極棒
１ｂ：マイナス極の電極棒
２：充填材
３：金属パイプ（ステンレスパイプ）
５：電極棒集合体
７：電極棒接触板
８：電極棒保持部
１０、１０Ａ、１０Ｂ、１０Ｃ：電磁温水器
１１：給水口
１２：流出口
２０：制御部
４１：吊り具
Ｃ：制御盤
【図１】
0004977084.tif 000002
【図２】
0004977084.tif 000003
【図３】
0004977084.tif 000004
【図４】
0004977084.tif 000005
【図５】
0004977084.tif 000006
【図６】
0004977084.tif 000007
【図７】
0004977084.tif 000008